(57)【特許請求の範囲】
【請求項１】
歯科用エアスプレー装置における圧縮空気圧回路構造であって、
エアコンプレッサと、該エアコンプレッサの後段に装備される効能ユニットと、該効能ユニットの後段に装備されるハンドピースとから成り、
該効能ユニットは、中空部を有し上方が開口した筒状体から成る中空ボディと、該中空ボディの中空部に連通する流入口及び排出口を備え且つ該中空ボディの上方開口端を閉塞可能な閉塞ボディと、で構成され、
該効能ユニットにおける中空ボディの中空部には効能剤が充填されて成る効能剤容器が該効能剤容器ごと挿嵌されて成り、
効能剤容器は、中空部を有し上方が開口した筒状体から成る容器本体と、該容器本体の中空部に連通する孔部を備え且つ該容器本体の上方開口端を閉塞可能なキャップ体と、で構成されて成り、
該エアコンプレッサにより生成された圧縮空気は、該効能ユニット内に流入して効能剤の作用により効能が付加され、最終的に該ハンドピースから口腔内へ噴出されることを特徴とする歯科用エアスプレー装置における圧縮空気圧回路構造。
【請求項２】
前記効能剤は、抗菌剤または芳香剤のいずれか一方もしくは両方であることを特徴とする請求項１に記載の歯科用エアスプレー装置における圧縮空気圧回路構造。
【請求項３】
前記エアコンプレッサと前記効能ユニットとの中間に、エアドライヤ、エアフィルタまたは除菌フィルタから選択されるいずれか一以上が装備されていることを特徴とする請求項１または請求項２に記載の歯科用エアスプレー装置における圧縮空気圧回路構造。
【発明の詳細な説明】
【技術分野】
【０００１】
本発明は、歯科用エアスプレー装置に関し、詳しくは、該歯科用エアスプレー装置における圧縮空気圧回路構造に関するものである。
【背景技術】
【０００２】
歯科治療において、エアコンプレッサ（空気圧縮機）により生成された圧縮空気を主に口腔内へ噴出するエアスプレー装置が使用される。該圧縮空気の噴出は、歯科治療において欠かせないものであり、例えば、治療歯ならびにその周辺に付着した唾液を取り除いて唾液に含まれる虫歯の原因となる菌が治療歯に付着するのを防ぐと共に、治療歯を乾燥させて菌の繁殖を抑制する、といった役割を果たす。
【０００３】
従来から存する歯科用エアスプレー装置の主な構造は、エアコンプレッサにより生成された圧縮空気を、配管路を介してハンドピースから口腔内へ噴出する構造となっている。エアコンプレッサでの圧縮空気生成の原料は、歯科医院内の空気である。空気中には、水蒸気と共に臭気が存在しており、さらに空気中に浮遊する常在菌も存在する。そして、この空気を利用して生成した圧縮空気中にも、当然のごとく水蒸気と臭気、常在菌が存在する。
【０００４】
圧縮空気中の水蒸気は、生成の過程で凝縮水たるドレン水を発生させる。該ドレン水は、回路中間で取り除かないと回路末端から放出されることとなり、治療歯を乾燥させる目的を果たすことができないばかりか、錆の発生など機器故障の原因ともなる。また、圧縮空気中の臭気は、それが患者の口腔内に噴出されると、患者に不快な思いをさせる。特に口腔は鼻に近いため、患者はエア臭気を敏感に感じ取るものである。さらに、圧縮空気中の常在菌は、それが患者の口腔内に噴出されると、患者の口腔内や体内に菌が付着・侵入することとなり、治療歯の菌の繁殖を抑制する目的を果たすことができないばかりか、口臭の原因や他の病原ともなりかねず、極めて有害なものとなり得る。
【０００５】
したがって、圧縮空気からドレン水や臭気、常在菌を適切に分離・除去すること、そして口腔内を好適に抗菌する作用を施すことが、歯科用エアスプレー装置において重要である。
【０００６】
従来における歯科用エアスプレー装置として、特開２００８-９３０８９号公報（特許文献１）において、「歯科用エアー供給システム及びメインエアー配管内の溜り水の排水方法」にかかる技術が提案され、公知となっている。すなわち、該提案は、エアー加圧手段と、上記エアー加圧手段に接続したメインエアー配管と、上記メインエアー配管に分岐接続した分岐接続管と、前記メインエアー配管内の溜り水を排水するために前記メインエアー配管の端部側に備えた開閉弁と、を備え、前記エアー加圧手段に備えたエアータンク内の溜り水を排水するための第１の開閉弁及び前記メインエアー配管の端部側に備えた前記第２の開閉弁の開閉制御及び前記エアー加圧手段の駆動、停止の制御を行う制御手段を備え、この制御手段の制御の下に、前記第２の開閉弁の開作動後に前記エアー加圧手段の駆動を停止し、このエアー加圧手段の停止後に前記第１の開閉弁を開作動する構成を採用するものである。
【０００７】
しかしながら、上記特許文献１にかかる技術提案によれば、単に圧縮空気圧回路における配管内の溜り水を排水することができる技術提案にとどまり、圧縮空気中の臭気や常在菌への対処はなされておらず、未だ問題解決にはいたっていない。
【先行技術文献】
【特許文献】
【０００８】
【特許文献１】特開２００８−９３０８９号公報
【発明の概要】
【発明が解決しようとする課題】
【０００９】
本発明は、上記問題点に鑑み、抗菌や芳香など各種効能を有した圧縮空気を噴出可能な歯科用エアスプレー装置の提供を図ることを課題とする。
【課題を解決するための手段】
【００１０】
上記課題を解決するため、本発明は、歯科用エアスプレー装置における圧縮空気圧回路構造であって、エアコンプレッサと、該エアコンプレッサの後段に装備される効能ユニットと、該効能ユニットの後段に装備されるハンドピースとから成り、該効能ユニットは、中空部を有し上方が開口した筒状体から成る中空ボディと、該中空ボディの中空部に連通する流入口及び排出口を備え且つ該中空ボディの上方開口端を閉塞可能な閉塞ボディと、で構成され、該効能ユニットにおける中空ボディの中空部には効能剤が充填されて成る効能剤容器が該効能剤容器ごと挿嵌されて成り、該エアコンプレッサにより生成された圧縮空気は、該効能ユニット内に流入して効能剤の作用により効能が付加され、最終的に該ハンドピースから口腔内へ噴出される手段を採用する。
【００１１】
また、本発明は、前記効能剤が、抗菌剤または芳香剤のいずれか一方もしくは両方である手段を採用する。
【００１３】
またさらに、本発明は、前記エアコンプレッサと前記効能ユニットとの中間に、エアドライヤ、エアフィルタまたは除菌フィルタから選択されるいずれか一以上が装備されている手段を採用する。
【発明の効果】
【００１４】
本発明にかかる歯科用エアスプレー装置における圧縮空気圧回路構造によれば、抗菌作用や芳香作用を奏する効能剤を充填し得る効能ユニットが配設されることによって、該効能ユニット内に充填された効能剤の作用により、ハンドピースから噴出される圧縮空気自体に抗菌や芳香といった各種効能を化体させることができ、歯科治療に資する、といった従来にない優れた効果を奏する。
【００１５】
また、本発明にかかる歯科用エアスプレー装置における圧縮空気圧回路構造によれば、効能剤が効能剤容器に充填されると共に、該効能剤容器ごと効能ユニットにおける中空ボディの中空部内に挿嵌可能な手段を採ることで、効能剤の充填・交換作業が容易であると共に、該効能ユニットの清掃・メンテナンス性にも優れる、といった効果を奏する。
【００１６】
さらに、本発明にかかる歯科用エアスプレー装置における圧縮空気圧回路構造によれば、エアコンプレッサと効能ユニットとの中間に、エアドライヤ、エアフィルタまたは除菌フィルタから選択されるいずれか一以上が装備されている手段を採用することで、エアコンプレッサで生成された圧縮空気中に存する水蒸気や常在菌をはじめ、塵埃や機械油分などを適宜取り除くことが可能であって、よりクリーンなエアを噴出することができる、といった優れた効果を奏する。
【図面の簡単な説明】
【００１７】
【図１】本発明にかかる歯科用エアスプレー装置における圧縮空気圧回路構造の実施形態を示す説明図である。
【図２】本発明にかかる効能剤容器の実施形態を示す説明図である。
【図３】本発明にかかる歯科用エアスプレー装置の使用態様を示す説明図である。
【発明を実施するための形態】
【００１８】
本発明にかかる歯科用エアスプレー装置における圧縮空気圧回路構造は、エアコンプレッサ１と、該エアコンプレッサ１の後段に装備される効能ユニット１０と、該効能ユニット１０の後段に装備されるハンドピース２０とから成り、該効能ユニット１０は、中空部１２を有し上方が開口した筒状体から成る中空ボディ１１と、該中空ボディ１１の中空部１２に連通する流入口１４及び排出口１５を備え且つ該中空ボディ１１の上方開口端を閉塞可能な閉塞ボディ１３と、で構成され、該効能ユニット１０における中空ボディ１１の中空部１２には効能剤１６が充填されて成る効能剤容器１８が該効能剤容器１８ごと挿嵌されて成り、該エアコンプレッサ１により生成された圧縮空気Ａは、該効能ユニット１０内に流入して効能剤１６の作用により効能が付加され、最終的に該ハンドピース２０から口腔内へ噴出されることを最大の特徴とする。
以下、本発明にかかる歯科用エアスプレー装置における圧縮空気圧回路構造の実施形態、すなわち、構成と動作とを、図面に基づいて説明する。
【００１９】
なお、本発明にかかる歯科用エアスプレー装置における圧縮空気圧回路構造は、以下に述べる実施形態に特に限定されるものではなく、本発明の技術的思想の範囲内、すなわち同一の作用効果を発揮できる機器や該機器の素材もしくは形状などに関して適宜変更することができる。
【００２０】
先ず、本発明にかかる歯科用エアスプレー装置における圧縮空気圧回路構造の構成について説明する。図１及び図２は、本発明にかかる歯科用エアスプレー装置における圧縮空気圧回路構造の実施形態を示す説明図である。
本発明にかかる歯科用エアスプレー装置における圧縮空気圧回路構造は、エアコンプレッサ（空気圧縮機）１と、効能ユニット１０と、ハンドピース２０と、で構成されており、効能ユニット１０は圧縮空気Ａを送気する配管路５を介してエアコンプレッサ１の後段に装備され、ハンドピース２０は同様に配管路５を介して効能ユニット１０の後段に装備される。
【００２１】
エアコンプレッサ（空気圧縮機）１は、空気を圧縮して所定気圧以上の圧縮空気Ａを生成する装置である。該エアコンプレッサ１にはアースが備えられ、エアコンプレッサ１の筐体の基準電位を得る目的やノイズ保護の目的で、直接もしくは電源線などと共に束ねられ最終的に大地に接続される。
エアコンプレッサ１は、圧縮空気Ａを生成するための構造によって、往復式や回転式、遠心式、軸流式など種々の方式が存在する。また、前記種々の方式においては、潤滑油を使用する給油タイプと、潤滑油を使用しないオイルフリータイプとがそれぞれ存在している。本発明で使用するエアコンプレッサ１の方式については、特に限定はなく、いずれの方式・構造のものでも使用することが可能である。
【００２２】
効能ユニット１０は、中空ボディ１１と、閉塞ボディ１３と、から構成されている。中空ボディ１１は、中空部１２を有し上方が開口した筒状体から成り、該中空部１２には所定量の効能剤１６が充填されて成る効能剤容器１８が該効能剤容器１８ごと挿嵌される。また、閉塞ボディ１３は、該中空ボディ１１の中空部１２に連通する流入口１４及び排出口１５を備え、且つ、該中空ボディ１１の上方開口端を螺合等により閉塞可能な構造を採る。
【００２３】
効能剤１６は、図１に示す様に、該効能ユニット１０における中空ボディ１１の中空部１２に挿嵌可能な効能剤容器１８の中空部１８ｄに充填される。かかる効能剤１６について、その状態・形状については液状や固形状などが考えられる。該効能剤１６としては、抗菌作用を奏する抗菌剤や芳香作用を奏する芳香剤など、各種効能を奏する基剤が選択的に用いられるもので、特に限定するものではない。但し、最終的な圧縮空気Ａの噴出先が口腔内であることから、人体に無害な基剤が選択される。
尚、効能剤１６は、閉塞ボディ１３から中空ボディ１１を外して効能剤容器１８を挿嵌することで、中空部１２内に随時補充することができる。
【００２４】
本発明における効能剤１６のうち、抗菌作用を奏する抗菌剤は、圧縮空気Ａに担持された状態で噴出されることで、治療歯が抗菌剤によりコーティングされる作用を奏する。また、抗菌剤は、口腔内へクリーンなエアを噴出するという機能上、圧縮空気Ａ中に存する常在菌を死滅・除去し得る除菌剤や殺菌剤をも含む概念で、例えばアルコールや次亜塩素ナトリウムなど種々のものが考え得る。
【００２５】
本発明における効能剤１６のうち、芳香作用を奏する芳香剤は、圧縮空気Ａの嫌な臭気を消して好む芳香を奏するという機能上、種々の芳香を奏するもののほか、特定の芳香を奏さずに嫌な臭気を消臭し得るだけの消臭剤をも含む概念で、例えば花や樹木その他種々の芳香を奏するもののほか、消臭作用のあるアルコールや次亜塩素ナトリウムなどが考え得る。
【００２６】
本発明にかかる効能剤１６について、抗菌作用と芳香作用を併せ持つ基剤を用いる態様がより好適である。抗菌作用と芳香作用を併せ持つ基剤としては、例えばヒノキやヒバ材から生成される天然ヒノキチオールやβ−ドラブリンを主成分とする基剤が考え得る。かかる天然ヒノキチオールは、カビをはじめ多くの菌に対する抗菌性を有すると共に、ヒノキの心地よい芳香を持ち、人体にも無害な基剤として好適である。
【００２７】
該効能ユニット１０には、ドレントラップ３０が備えられている態様が考え得る。該ドレントラップ３０は、圧縮空気Ａが冷却され、該圧縮空気Ａに水蒸気の状態で含有される水分が凝縮されることで、効能ユニット１０内に発生するドレン水Ｄを排出するために備えられる。ドレントラップ３０を効能ユニット１０の下部に備えることで、滞留するドレン水Ｄにおける菌やウイルスの増殖を防止して臭気の発生・増大を抑制することができると共に、回路システムのメンテナンス性向上に資する。ドレントラップ３０は、電磁式、フロート式、ディスク式などが考えられる。本発明で使用するドレントラップ３０の種別については、特に限定されるものではない。
【００２８】
効能ユニット１０における効能剤１６の充填態様について、図１に示す様に、効能剤１６が充填された効能剤容器１８を中空部１２に挿嵌する態様を採用する。効能剤容器１８は、中空部１８ｄを有し上方が開口した筒状体から成る容器本体１８ａと、該容器本体１８ａの中空部１８ｄに連通する孔部１８ｃを備え且つ該容器本体１８ａの上方開口端を閉塞可能なキャップ体１８ｂと、で構成されている。かかる態様により、閉塞ボディ１３から中空ボディ１１を外すことで、効能剤容器１８について、中空部１２内に随時装填・交換することができる。
【００２９】
効能剤容器１８は、図２において具体的態様が示されている様に、容器本体１８ａと、キャップ体１８ｂと、から構成されている。容器本体１８ａは、中空部１８ｄを有し上方が開口した筒状体から成り、該中空部１８ｄには所定量の液状の効能剤１６が充填されている。尚、図示の様に、該中空部１８ｄ内において、効能剤１６を浸透して毛細現象により吸い上げる芯材１８ｅが装填される態様が好適である。また、キャップ体１８ｂは、容器本体１８ａの上方開口端を螺合等により閉塞可能な構造となっており、且つ、容器本体１８ａ外へ効能剤１６を放出するべく、該容器本体１８ａの中空部１８ｄに連通した孔部１８ｃが備えられて成る。
【００３０】
効能剤容器１８におけるキャップ体１８ｂに備えられる孔部１８ｃの数については、特に限定するものではないが、好ましくは複数の孔部１８ｃが備えられ、より好ましくは２乃至４の孔部１８ｃが備えられる。尚、図面では、キャップ体１８ｂに該孔部１８ｃを４つ備えた場合について示している。このように、複数の孔部１８ｃを備える場合、各孔部１８ｃには剥離可能なシール材１８ｆが貼着されている。かかる態様を採用することで、シール材１８ｆの剥離数を変更することで、連通する孔部１８ｃの数を任意に変えることが可能となり、抗菌作用や芳香作用の強度を適宜変更することが可能である。
【００３１】
ハンドピース２０は、その具体的構造について特に限定はなく、常法のものを使用すれば足りる。すなわち、常法の構成として、把持部の先端にエア噴出ノズルが備えられ、把持部にはエア噴出のＯＮ／ＯＦＦスイッチが備えられた態様となっている。
【００３２】
以上で構成される本発明にかかる歯科用エアスプレー装置における圧縮空気圧回路構造において、図示の様に、エアコンプレッサ１と効能ユニット１０との中間に、エアドライヤ２、エアフィルタ３または除菌フィルタ４から選択されるいずれか一以上が装備された態様を採用し得る。
【００３３】
エアドライヤ２は、圧縮空気Ａを乾燥させ水分を取り除くための機器であって、水分の除去方式により、冷凍式や中空糸膜式、吸着式などが存在する。本発明で使用するエアドライヤ２は、冷凍式や中空糸膜式、吸着式のいずれかを問うものではなく、特に限定されるものではないが、一般に繁用されているのは、冷凍式のエアドライヤ２である。冷凍式のエアドライヤ２は、冷媒の蒸発潜熱を利用して、圧縮空気Ａを冷却し、含有水分を凝縮して除去するための装置であって、比較的安価に導入することができる。
【００３４】
エアフィルタ３は、圧縮空気Ａ中の水分や油分、スラッジや微生物を除去するためのフィルタであって、例えば樹脂製若しくは紙製で網状乃至中空糸膜状のエアフィルタエレメント３ａ、若しくは、活性炭を包んだエアフィルタエレメント３ａが内蔵されている。該エアフィルタ３は、前記エアドライヤ２の後段に配設されるのが一般的である。
【００３５】
除菌フィルタ４は、圧縮空気Ａに含有する常在菌（菌やウイルス）を分離・除去するためのフィルタであって、例えば筒状体で、底面を閉鎖、上面を開口、側面に濾材を配した形状から成る除菌フィルタエレメント４ａが内蔵されている。該除菌フィルタエレメント４ａは、必要に応じて着脱・交換可能である。このとき、該除菌フィルタエレメント４ａの上面中央部に圧縮空気Ａの排出口が連通すると共に、除菌フィルタエレメント４ａの外側に圧縮空気Ａの流入口が連通する構成を採る。かかる構成を採用することにより、圧縮空気Ａを除菌フィルタエレメントの外側から内側へ通気させることが可能となる。該除菌フィルタ４は、異物を除去した圧縮空気Ａを最終的に除菌すべく、前記エアフィルタ３の後段に配設される。
【００３６】
上記したエアドライヤ２、エアフィルタ３並びに除菌フィルタ４には、各々ドレントラップ３０が備えられている態様が好適である。該ドレントラップ３０は、圧縮空気Ａを冷却し、該圧縮空気Ａに水蒸気の状態で含有される水分を凝縮することで、エアドライヤ２内に発生するドレン水Ｄを排出するために備えられる。ドレントラップ３０をエアドライヤ２やエアフィルタ３、除菌フィルタ４の下部に備えることで、滞留するドレン水Ｄにおける菌やウイルスの増殖を防止して臭気の発生・増大を抑制することができると共に、回路システムのメンテナンス性向上に資する。ドレントラップ３０は、電磁式、フロート式、ディスク式などが考えられる。本発明で使用するドレントラップ３０の種別については、特に限定されるものではない。
【００３７】
本発明にかかる歯科用エアスプレー装置における圧縮空気圧回路構造において、上記各構成要素間は配管路５を介して接続されている。該配管路５は、圧縮空気Ａを送気するための中空管であって、その素材について特に限定はないが、エアコンプレッサ１から効能ユニット１０の間は、例えば銅や鉄などの主に金属素材より成る略剛性の配管から成り、効能ユニット１０からハンドピース２０の間は、例えばゴムやポリエチレン、塩ビ製の樹脂管あるいは炭素繊維やガラス繊維から成る繊維管など略柔軟性の配管で構成される。尚、ハンドピース２０の前段は、必要に応じて所定中間箇所から略柔軟性の配管とする態様であってもよい。
【００３８】
ところで、エアドライヤ２から効能ユニット１０までの配管路５について、短ければ短いほど好適である。なぜなら、エアドライヤ２を通過した圧縮空気Ａとはいえ水蒸気含有量はゼロではなく、よって当該圧縮空気Ａがその後に配管路５を通過する際にも冷却作用によるドレン水Ｄの発生が想定されるため、できることなら当該配管路５でのドレン水Ｄの発生を抑制し得るべく、可能な限り短く設定することが好ましいからである。このことは、中間にエアドライヤ２、エアフィルタ３並びに除菌フィルタ４が装備された場合であっても同様である。
【００３９】
次いで、本発明にかかる歯科用エアスプレー装置における圧縮空気圧回路構造の動作、並びに、該歯科用エアスプレー装置の使用態様について説明する。尚、説明の便宜上、エアコンプレッサ１と効能ユニット１０との中間に、エアドライヤ２、エアフィルタ３並びに除菌フィルタ４が装備された場合について説明する。これらが装備されていない場合については、当該部分を省略して解するものとする。
【００４０】
エアコンプレッサ１は、空気である大気を吸気し、所定圧へと圧縮させる。前記大気には、水蒸気と共に常在菌（菌やウイルス）と臭気が含まれている。エアコンプレッサ１で製造された圧縮空気Ａは、この段階では圧縮熱を帯びているため、直ちにはドレン水Ｄの発生はない。
【００４１】
次いで、圧縮空気Ａは、配管路５を通過する。この際、圧縮空気Ａは、配管路５外部の周囲温度に向かう方向で冷却される。かかる冷却により、圧縮空気Ａから凝縮水であるドレン水Ｄが発生する。
【００４２】
配管路５を通過した圧縮空気Ａは、当該配管路５で発生したドレン水Ｄと共に、その後段に備えられるエアドライヤ２に入気される。エアドライヤ２に入気された圧縮空気Ａは、プリクーラーで予冷された後にエバポレータ内部の熱交換器を蛇行又は衝突をするなどして流路の変更を大きく受けながら通過して冷却される。かかる冷却によって、圧縮空気Ａから積極的に凝縮水であるドレン水Ｄが分離・除去される。かかるドレン水Ｄは、ドレントラップ３０により外部へと適宜排出される。
【００４３】
次いで、圧縮空気Ａは、配管路５を通過し、その後段に備えられるエアフィルタ３に入気される。エアフィルタ３へ入気された圧縮空気Ａは、中内蔵されたエアフィルタエレメント３ａを通過することで、水分や油分、スラッジや微生物が除去され、後段へと排出される。
尚、配管路５を通過する際やエアフィルタ３内で発生したドレン水Ｄは、ドレントラップ３０により外部へと適宜排出される。
【００４４】
次いで、圧縮空気Ａは、配管路５を通過し、その後段に備えられる除菌フィルタ４に入気される。除菌フィルタ４へ入気された圧縮空気Ａは、中内蔵された除菌フィルタエレメント４ａを通過することで除菌され、後段へと排出される。
尚、配管路５を通過する際や除菌フィルタ４内で発生したドレン水Ｄは、ドレントラップ３０により外部へと適宜排出される。
【００４５】
次いで、圧縮空気Ａは、配管路５を通過し、その後段に備えられる効能ユニット１０に流入口１４を介して入気される。効能ユニット１０へ入気された圧縮空気Ａは、中空ボディ１１の中空部１２内に挿嵌された効能剤容器１８内に充填された効能剤１６に接触することで、抗菌作用や芳香作用など自ら効能化されると共に、効能剤１６の気化粒子など成分を担持しつつ、排出口１５より外部へと適宜排出される。
尚、配管路５を通過する際や効能ユニット１０内で発生したドレン水Ｄは、ドレントラップ３０により外部へと適宜排出される。
【００４６】
効能ユニット１０を通過した圧縮空気Ａは、図３に示す様に、配管路５を通過し、その後段に備えられるハンドピース２０を介して、患者の口腔内など歯科治療の用途に供される。
【産業上の利用可能性】
【００４７】
本発明は、「発明の効果」記載の通り、多くの優れた効果を奏するものである。特に、歯科治療において、患者に対し、薬剤臭などの不快な香りを消して好適な芳香を放つことで、心地良い気分を醸し出すことができると共に、効能剤における抗菌作用により、治療歯の確実な滅菌と抗菌コーティングを可能ならしめるものである。したがって、本発明にかかる「歯科用エアスプレー装置における圧縮空気圧回路構造」の産業上の利用可能性は大であると思料する。
【符号の説明】
【００４８】
１    エアコンプレッサ（空気圧縮機）
２    エアドライヤ
３    エアフィルタ
３ａ  エアフィルタエレメント
４    除菌フィルタ
４ａ  除菌フィルタエレメント
５    配管路
１０    効能ユニット
１１    中空ボディ
１２    中空部
１３    閉塞ボディ
１４    流入口
１５    排出口
１６    効能剤
１８    効能剤容器
１８ａ  容器本体
１８ｂ  キャップ体
１８ｃ  孔部
１８ｄ  中空部
１８ｅ  芯材
１８ｆ  シール材
２０    ハンドピース
３０    ドレントラップ
Ａ    圧縮空気
Ｄ    ドレン水
Ｖ    常在菌（菌やウイルス）
【要約】
【課題】抗菌や芳香など各種効能を有した圧縮空気を噴出可能な歯科用エアスプレー装置を提供する。
【解決手段】歯科用エアスプレー装置における圧縮空気圧回路構造であって、エアコンプレッサ１と、該エアコンプレッサ１の後段に装備される効能ユニット１０と、該効能ユニット１０の後段に装備されるハンドピース２０とから成り、該効能ユニット１０は、中空部１２を有し上方が開口した筒状体から成る中空ボディ１１と、該中空ボディ１１の中空部１２に連通する流入口１４及び排出口１５を備え且つ該中空ボディ１１の上方開口端を閉塞可能な閉塞ボディ１３と、で構成され、該効能ユニット１０における中空ボディ１１の中空部１２には効能剤１６が充填されて成り、該エアコンプレッサ１により生成された圧縮空気Ａは、該効能ユニット１０内に流入して効能剤１６の作用により効能が付加され、最終的に該ハンドピース２０から口腔内へ噴出される。
【選択図】図1【図１】
0006803628.tif 000002
【図２】
0006803628.tif 000003
【図３】
0006803628.tif 000004